(57)【要約】【課題】キャップを緩み方向に回転させるだけで容器を開栓することができる中栓付きキャップを提案する。【解決手段】本発明の中栓付きキャップは、中栓２０が、注出筒２５の内周面に対し全周に亘る薄肉部２６ａを介して一体連結する栓体２６を有し、栓体２６は、先端部分が径方向外側或いは内側に突出して係止部２７ａを形成する中栓爪部２７を備え、キャップ３０の頂壁３２は、栓体２６に向けて伸延するとともに中栓爪部２７に対して対向配置となるキャップ爪部３５と、キャップ３０の締め込みに伴って係止部２７ａの反対側に位置する中栓爪部２７の背面に押し当たり、中栓爪部２７をキャップ爪部３５に向けて傾倒させて相互に連係させる傾斜部３６を有することを特徴とする。【選択図】図１
2014148338.tif 000002
【特許請求の範囲】
【請求項１】
容器内の内容物を注出する注出筒を有し該容器の口部に嵌合保持される中栓と、該中栓にねじ止めされ該注出筒を内側に収納するキャップとを備える中栓付きキャップであって、
前記中栓は、前記注出筒の内周面に対し全周に亘る薄肉部を介して一体連結する栓体を有し、該栓体は、前記キャップの頂壁に向けて起立するとともにその先端部分が径方向外側或いは内側に突出して係止部を形成する中栓爪部を備え、
前記キャップの頂壁は、該栓体に向けて伸延するとともに該中栓爪部に対して対向配置となるキャップ爪部と、該キャップの締め込みに伴って前記係止部の反対側に位置する該中栓爪部の背面に押し当たり、該中栓爪部を該キャップ爪部に向けて傾倒させて相互に連係させる傾斜部とを有する中栓付きキャップ。
【請求項２】
前記キャップ爪部は、前記注出筒の内周面に対し全周に亘って液密に当接する先端部を有する請求項１に記載の中栓付きキャップ。
【請求項３】
前記栓体は、容器の内側に向けて凸となる少なくとも１つの横リブを有する請求項１又は２に記載の中栓付きキャップ。
【請求項４】
前記傾斜部は、前記栓体からキャップの頂壁に向けて凹む凹部を有し、該栓体は、該凹部の内側に向けて延びる柱状部を備える請求項１〜３の何れかに記載の中栓付きキャップ。
【発明の詳細な説明】
【技術分野】
【０００１】
本発明は、容器内の内容物を注出する注出筒を有するとともに容器の口部に嵌合保持される中栓と、この中栓にねじ止めされ注出筒を内側に収納するキャップとを備える中栓付きキャップに関する。
【背景技術】
【０００２】
従来、醤油やドレッシング等の食品調味料を収容する容器には、使用直前まで容器内を密封状態に保持するべく、その口部に、プルリングの引き起こしにより閉塞壁部を引きちぎって開封するバージンタイプの中栓を装着することが一般的である。
【０００３】
しかしながら、プルリングの引き起こし方は使用者によって大きく異なることから、意図しない部分でちぎれてしまい、容器を開栓することができなくなることがある。このため、プルリングの引き起こしを行わずに開栓できる種々の中栓が検討されている（例えば特許文献１参照）。
【０００４】
特許文献１の図１に示されたキャップ１は、中栓２に、注出筒部６に対しスコア７を介して連結する開口予定部４を設け、オーバーキャップ３に、容器本体５０の雄ネジ１１ｂに連係する雌ネジ１１ａと設けるとともに開口予定部４に設けた雌ネジ１０ａに連係する雄ネジ１０ｂを設けたものである。そして、雌ネジ１１ａと雄ネジ１０ｂは互いに逆方向の関係（一方が右ネジで他方が左ネジ）になっているので、オーバーキャップ３を緩み方向に回転させると開口予定部４が締まる方向に回転し、開口予定部４をスコア７に沿って破断できるとしている。また、その図１０に示されたキャップ４０１は、中栓４０２に、本体部４２０と分離部４０４とを設け、オーバーキャップ４０３に、爪４０９ａとバージンリングＢＲを設けたものである。そして、オーバーキャップ４０３を締め込み方向に回転することで、バージンリングＢＲが破断するとともに爪４０９ａと分離部４０４とが係合し、その後、オーバーキャップ４０３を緩み方向に回転することで開栓できるとしている。
【先行技術文献】
【特許文献】
【０００５】
【特許文献１】国際公開第２００７／１２６０６２号
【発明の概要】
【発明が解決しようとする課題】
【０００６】
ところで、前述のキャップ１では、右ネジと左ネジの両方を用いていることから、キャップ１の組み付け作業に間違いが生じやすいという懸念がある。またキャップ４０１では、容器の開栓に当たり、一旦、オーバーキャップ４０３を締め込み方向に回転させ、その後に緩み方向に回転させるという２つの工程を要するため、使用者にとって手間がかかり、また開栓方法が分かりにくいという問題がある。
【０００７】
本発明の目的は、通常のオーバーキャップと同様に緩み方向に回転させるだけで開栓することができる、使い勝手に優れた新規の中栓付きキャップを提案するところにある。
【課題を解決するための手段】
【０００８】
本発明は、容器内の内容物を注出する注出筒を有し該容器の口部に嵌合保持される中栓と、該中栓にねじ止めされ該注出筒を内側に収納するキャップとを備える中栓付きキャップであって、
前記中栓は、前記注出筒の内周面に対し全周に亘る薄肉部を介して一体連結する栓体を有し、該栓体は、前記キャップの頂壁に向けて起立するとともにその先端部分が径方向外側或いは内側に突出して係止部を形成する中栓爪部を備え、
前記キャップの頂壁は、該栓体に向けて伸延するとともに該中栓爪部に対して対向配置となるキャップ爪部と、該キャップの締め込みに伴って前記係止部の反対側に位置する該中栓爪部の背面に押し当たり、該中栓爪部を該キャップ爪部に向けて傾倒させて相互に連係させる傾斜部とを有する中栓付きキャップである。
【０００９】
前記キャップ爪部は、前記注出筒の内周面に対し全周に亘って液密に当接する先端部を有することが好ましい。
【００１０】
前記栓体は、容器の内側に向けて凸となる少なくとも１つの横リブを有することが好ましい。
【００１１】
前記傾斜部は、前記栓体からキャップの頂壁に向けて凹む凹部を有し、該栓体は、該凹部の内側に向けて延びる柱状部を備えることが好ましい。
【発明の効果】
【００１２】
本発明の中栓付きキャップによれば、キャップを締め込むことで、キャップの頂壁に設けた傾斜部が中栓の栓体に設けた中栓爪部の背面に押し当たり、中栓爪部をキャップ爪部に向けて傾倒させて相互に連係することができる。そして、キャップを緩み方向に回転すれば、キャップの上昇変位に合わせて栓体も容器の口部上方側へ引き上げられるので、栓体に一体連結する薄肉部を破断することができる。従って、容器を開栓するに当たっては、通常のキャップと同様に緩み方向に回転するだけで済むので、使用者にとって開栓方法が分かりやすく手間がかかることもない。
【００１３】
キャップ爪部は、注出筒の内周面に対し全周に亘って液密に当接する先端部を有するものとする場合は、内容物の漏れ出しを防止する構造を別途設ける必要がなくなるので、キャップの構成が簡単になる。
【００１４】
キャップの締め込みが進んで中栓爪部と傾斜部との押し当たりが強くなると、傾斜部の回転力が中栓爪部に伝わって中栓が捻られ、場合によっては薄肉部の一部が破断してしまい、容器に取り付けた際に密封性が得られなくなるおそれがあるが、栓体に容器の内側に向けて凸となる少なくとも１つの横リブを設ける場合は、この横リブに適合する治具を取り付けて栓体を回り止め保持することが可能となるので、キャップを締め込んでも中栓が捻られることがなくなり、容器に取り付けた際の密封性が確実に得られる。
【００１５】
傾斜部に、栓体からキャップの頂壁に向けて凹む凹部を設け、栓体に、この凹部の内側に向けて延びる柱状部を設ける場合は、キャップの締め込み中に栓体を傾倒させる力が作用しても、凹部内に入り込む柱状部にて栓体の傾倒が抑制できるので、薄肉部の破断がより確実に防止できる。
【図面の簡単な説明】
【００１６】
【図１】本発明に従う中栓付きキャップの一実施形態を、容器の口部に装着した状態で示す側面視での要部拡大断面図である。
【図２】図１に至る前の状況であって、中栓にキャップを締め込み始めた状態を示す側面視での要部拡大断面図である。
【図３】図１で示した中栓を単独で示す側面視での半断面図である。
【図４】図３で示した中栓につき、（ａ）は平面図であり、（ｂ）は下面図である。
【図５】図１で示したキャップを単独で示す、（ａ）は側面視での半断面図であり、（ｂ）は下面図である。
【発明を実施するための形態】
【００１７】
以下、図面を参照して、本発明をより具体的に説明する。
図１は、本発明に従う中栓付きキャップの一実施形態を、容器の口部に装着した状態で示す側面視での要部拡大断面図であって、図２は、図１に至る前の状況であって、中栓にキャップを締め込み始めた状態を示す側面視での要部拡大断面図であって、図３は、図１で示した中栓を単独で示す側面視での半断面図であって、図４は、図３で示した中栓につき、（ａ）は平面図であり、（ｂ）は下面図であって、図５は、図１で示したキャップを単独で示す、（ａ）は側面視での半断面図であり、（ｂ）は下面図である。
【００１８】
図１において、符号１は本発明に従う中栓付きキャップである。中栓付きキャップ１は、ともに合成樹脂製となる中栓２０とキャップ３０とで構成されるものであり、中栓２０にキャップ３０をねじ止めした後、内容物を収容した容器１０に打栓にて取り付けられるものである。
【００１９】
ここで、容器１０は、円筒状の口部１１を備えていて、図示は省略するが、口部１１につながる胴部及び底部にて、内容物の収容空間Ｍを形成するものである。口部１１の外周面には、中栓２０を抜け止め保持する突起１２を備えている。また、突起１２の上方には、縦方向に延びる凸部を口部１１の周方向に沿って連続して設けた、容器ローレット部１３を備えている。
【００２０】
中栓２０は、口部１１を取り囲む円筒状の周壁２１を備えている。周壁２１の上端には、径方向内側に向けて延在する上壁２２を設けていて、上壁２２の内周縁には上方に向けて起立する環状壁２３を一体連結させている。また、環状壁２３の上端には、径方向内側に向けて延在する段部２４を設けていて、段部２４の内周縁には、容器１０に装着された際に収容空間Ｍからの内容物の注出経路を形成する注出筒２５を一体連結させている。
【００２１】
ここで、周壁２１の下端部には、薄肉状の連結部２１ａを介して嵌合筒部２１ｂを設けていて、嵌合筒部２１ｂの内周面には、突起１２に連係する凸部２１ｃを設けている。本実施形態において連結部２１ａは、図４（ａ）に示すように、周壁２１に対して周方向に部分的に切り離された形状をなしている。また、嵌合筒部２１ｂは、図３に示すように周方向の一部が三角形状に切り取られていて、この三角形状の切り取りを挟んで周方向に反対側の部分は、摘み部２１ｄとなっている。摘み部２１ｄは、内容物を全て注出させた後に中栓２０を口部１１から取り外すための指掛かりとなる部位であり、ここを摘んで周方向に引っ張ることで連結部２１ａが破断して、嵌合筒部２１ｂを取り除くことができる。なお、図４（ａ）に示すように本実施形態では、摘み部２１ｄの径方向内側に、複数の凸形状を周方向に並べて形成した滑り止め部２１ｅを設けている。
【００２２】
図１に示すように周壁２１の内周面には、容器ローレット部１３に対応させて設けた中栓ローレット部２１ｆを設けていて、上壁２２の下面には、口部１１の内周面と液密に当接する環状のシール壁２２ａを設けている。また、環状壁２３の外周面には、雄ねじ部２３ａを設けていて、環状壁２３の内周面には、段部２４の下面と接続する補強リブ２３ｂを、周方向に間隔をあけて複数設けている。
【００２３】
そして、前述の注出筒２５の径方向内側には、注出筒２５の全周に亘って設けられる薄肉部２６ａを介して栓体２６を一体連結している。また、栓体２６の上面には、上方に向けて起立する環状の中栓爪部２７を設けていて、中栓爪部２７の先端部分は、本実施形態では径方向外側に突出して係止部２７ａを形成している。また、栓体２６の下面には、側面視での断面が、容器１０の中心軸線Ｃから径方向外側に向かってなだらかに下方に向かった後、更に上方へ向けて湾曲する形状となる横リブ２８を備えている。図４（ｂ）に示すように本実施形態では、中心軸線Ｃを中心として均等な放射線状になるように総計８本設けている。更に、中栓爪部２７の径方向内側には、上方に向けて起立する柱状部２９を設けている。
【００２４】
キャップ３０は、図１に示すように、注出筒２５を含めて中栓２０全体を取り囲む円筒状の外周壁３１と、外周壁３１の上端を閉鎖する頂壁３２とを備えている。頂壁３２には、環状壁２３を取り囲んで垂下される筒状壁３３を設けていて、筒状壁３３の内周面には、雄ねじ部２３ａに対応する雌ねじ部３３ａを設けている。また、外周壁３１と筒状壁３３との間には、周方向に間隔をあけて設けられる板状リブ３４を設けて、外周壁３１と筒状壁３３とを補強している。本実施形態では、図５（ｂ）に示すように周方向に均等配置で総計６個設けている。更に、筒状壁３３の径方向内側には、径方向内側に突出する係止部３５ａを有し、キャップ３０の締め込みに伴い中栓爪部２７に連係する環状のキャップ爪部３５を設けていて、キャップ爪部３５の先端部は、その外周面に設けた環状凸部３５ｂにて注出筒２５と液密に当接している。また、中栓爪部２７の径方向内側には、キャップ３０の締め込みに伴って中栓爪部２７の背面（係止部２７ａを設けた側に対し反対側の面）に押し当たる傾斜部３６を設けている。本実施形態で傾斜部３６の外面は、中栓２０に向けて先細りとなる円錐面を呈している。更に、傾斜部３６は、上方（栓体２６から頂壁３２に向かう向き）に向けて凹む凹部３８を備えている。これにより傾斜部３６の肉厚が均一化されるので、ひけ等の成形上の不具合を有効に防止することができる。
【００２５】
上記のような構成となる中栓付きキャップ１は、まず、図２に示すように中栓２０にキャップ３０をねじ止めする。キャップ３０を締め込んでいくと、キャップ爪部３５が垂直下向きに移動して、注出筒２５と中栓爪部２７との間に入り始める。初期状態において中栓爪部２７は径方向外側にやや傾斜しているものの、キャップ爪部３５の下向き移動の妨げにはならない角度で起立している。そして、キャップ３０の締め込みを継続すると、傾斜部３６が中栓爪部２７の背面に押し当たり、中栓爪部２７が径方向外側に向けて傾いていく。更に、図１に示すように筒状壁３３が上壁２２に当接するまでキャップ３０を締め込むことで、傾倒した中栓爪部２７がキャップ爪部３５に完全に連係する。その後、容器１０の口部１１に対して、締め込みが終了した中栓付きキャップ１を打栓することで、収容空間Ｍが密封される。
【００２６】
なお、キャップ３０の締め込みに際しては、栓体２６の下面に設けた横リブ２８に対し、これに連係する凹部を形成した治具を準備し、この治具を中栓２０の内側から差し込んで栓体２６を回り止め保持することが好ましい。これにより、キャップ３０を締め込んでも、栓体２６が注出筒２５に対して回転することがないので、薄肉部２６ａに亀裂等が入るおそれがなくなる。また、本実施形態では、キャップ３０の締め込みに伴って、栓体２６に設けた柱状部２９が傾斜部３６の凹部３８の内側に入り込むようにしているので、仮に傾斜部３６が中栓爪部２７に片寄って当接しても、栓体２６の傾倒が抑制され、薄肉部２６ａの破断をより確実に防止できる。
【００２７】
中栓付きキャップ１を装着した容器１０の開栓は、キャップ３０を緩み方向に回転させれば、キャップ３０の上昇変位に伴って、キャップ爪部３５に連係する中栓爪部２７を介して、栓体２６に上向きの力が作用する。これにより薄肉部２６ａが破断して、栓体２６を注出筒２５から分離することができる。なお、ねじの作用により、キャップ３０を回転させる力に対してキャップ３０が上昇する力の方が大きくなるので、プルリングを用いて引き起こす場合に対し、より小さい力で開栓することができる。
【００２８】
また本実施形態では、キャップ爪部３５に設けた環状凸部３５ｂが、注出筒２５に対して液密に当接するので、一旦開栓した後もキャップ３０を締め込むことで、容器１０を倒した場合でも内容物の流出を防止することができる。
【００２９】
本実施形態で中栓爪部２７は環状であるが、その形態は種々選択可能であり、例えば複数に分割された間欠状のものであってもよい。また、本実施形態においてキャップ爪部３５は、注出筒２５に対して液密に当接する機能を持たせるべく環状にしているが、この機能を他の構成部材で得ようとする場合は、キャップ爪部３５も他の形態（例えば間欠状）にすることができる。
【００３０】
また、本実施形態では、中栓爪部２７の係止部２７ａが径方向外側に突出するものであるが、径方向内側に突出するようにしてもよい。この場合、キャップ爪部を中栓爪部の径方向内側に設けるとともに、その係止部を径方向外側に突出させ、更に傾斜部３６を中栓爪部の径方向外側に設けて中栓爪部の背面（この場合は、径方向外側の面）に当て付けるように形成する。このような構成にすれば、前述の本実施形態と同様に、中栓爪部をキャップ爪部に連係させることができる。
【００３１】
なお、中栓付きキャップ１を容器１０に装着するに当たっては、キャップ３０のねじの向きとは逆向きになるねじ構成を適用するよりも、本実施形態のように打栓で取り付ける構成とすることが好ましいが、必要であれば、通常使用される右ねじをキャップ３０に適用し、中栓付きキャップ１と容器１０とのねじ構成を左ねじとすることも可能である。
【産業上の利用可能性】
【００３２】
本発明によれば、キャップを緩み方向に回転させるだけで中栓の栓体を破断させて容器を開栓することができるので、開栓方法が分かりやすい上、開栓作業が簡単になる、新たな中栓付きキャップを提供することができる。
【符号の説明】
【００３３】
１  中栓付きキャップ
１０  容器
１１  口部
２０  中栓
２３ａ  雄ねじ部
２５  注出筒
２６  栓体
２６ａ  薄肉部
２７  中栓爪部
２７ａ  中栓爪部の係止部
２８  横リブ
２９  柱状部
３０  キャップ
３２  頂壁
３３ａ  雌ねじ部
３５  キャップ爪部
３５ａ  キャップ爪部の係止部
３５ｂ  環状凸部（キャップ爪部の先端部）
３６  傾斜部
３８  凹部
【図１】
2014148338.tif 000003
【図２】
2014148338.tif 000004
【図３】
2014148338.tif 000005
【図４】
2014148338.tif 000006
【図５】
2014148338.tif 000007